(57)【要約】【課題】  事象発生に対応し必要な複数台のカメラ映像を適切に表示させる。【解決手段】  カメラ２２により得られた映像を前記センタへ送る事象発生を検出し、事象発生検出情報を前記センタへ送信する画像処理部２５と、画像処理部２５による事象発生検出を受けてセンタが映像の送信を要求する映像要求を送ってくると、該当カメラ２２により得られた映像をセンタへ送信する制御部２０とを具備し、制御部２０は、事象発生検出を受けて、事象発生検出情報と共に該当カメラ２２により得られた静止画映像を静止画出力部２７へ出力させて、センタへ送信する。【選択図】  図１
2005277660.tif 000002
【特許請求の範囲】
【請求項１】
複数台のカメラにより得た映像の中から映像を選択してセンタに設けられたモニタに表示を行う監視カメラシステムにおいて、
カメラにより得られた映像を前記センタへ送る事象発生を検出し、事象発生検出情報を前記センタへ送信する事象発生検出手段と、
前記事象発生検出手段による事象発生検出を受けて、定められた複数のカメラからの映像の送信を要求する映像要求手段と、
カメラ毎に設けられ、前記映像要求手段による要求を受けると、該当カメラにより得られた映像をセンタへ送信する送信制御手段と
を具備し、
前記送信制御手段は、前記事象発生検出手段による事象発生検出を受けて、前記事象発生検出手段による事象発生検出情報と共に該当カメラにより得られた静止画映像をセンタへ送信することを特徴とする監視カメラシステム。
【請求項２】
複数台のカメラは撮像対象が移動する方向に沿って一列に配置され、
前記映像要求手段は、前記事象発生検出手段による事象発生検出を受けて、当該カメラの前と後のカメラからの映像の送信要求を順次送出した後に、該当カメラからの映像の送信要求を送出することを特徴とする請求項１に記載の監視カメラシステム。
【請求項３】
前記映像要求手段は、送信要求に動画または静止画のいずれであるかを示す情報、撮影時刻を含む情報を含めて送信要求を送信することを特徴とする請求項１または２に記載の監視カメラシステム。
【請求項４】
送信制御手段は、前記映像要求手段による要求を受けると、該当カメラにより得られた動画または静止画のいずれかの映像であって、要求のときから予め設定された時間幅前の映像をセンタへ送信することを特徴とする請求項１または２に記載の監視カメラシステム。
【請求項５】
映像要求手段は、事象発生が検出された事象発生の種類に応じて、要求を行うカメラの識別情報が記憶されたメモリテーブルを備え、このメモリテーブルの情報に基づき要求を行うことを特徴とする請求項１に記載の監視カメラシステム。
【発明の詳細な説明】
【技術分野】
【０００１】
この発明は、複数台のカメラにより得た映像の中から、映像を選択してセンタに設けられたモニタに表示を行う監視カメラシステムに関するものである。
【背景技術】
【０００２】
従来のこの種の監視カメラシステムにおいては、複数の撮像部で得た画像をファイルとして記憶すると共に、異常発生前にあっては小画面を多画面表示し、異常検出したとき異常画像に切り換えるシステムが特許文献１に示されている。
【０００３】
また、カメラ選択を行う場合に優先度情報を用いるシステムも知られており、例えば特許文献２に示されている。
【特許文献１】特開２００２−３２０２１８号公報
【特許文献２】特開２００１−３３９７１０号公報
【０００４】
しかしながら、事象発生に対応して複数台のカメラから適切な映像を選択してセンタ側においてモニタに表示させるシステムが求められている。
【発明の開示】
【発明が解決しようとする課題】
【０００５】
解決しようとする課題は、事象発生に対応して必要な複数台のカメラから得られる映像を適切に表示させることである。
【課題を解決するための手段】
【０００６】
本発明に係るカメラ監視カメラシステムは、複数台のカメラにより得た映像の中から映像を選択してセンタに設けられたモニタに表示を行う監視カメラシステムにおいて、カメラにより得られた映像を前記センタへ送る事象発生を検出し、事象発生検出情報を前記センタへ送信する事象発生検出手段と、前記事象発生検出手段による事象発生検出を受けて、定められた複数のカメラからの映像の送信を要求する映像要求手段と、カメラ毎に設けられ、前記映像要求手段による要求を受けると、該当カメラにより得られた映像をセンタへ送信する送信制御手段とを具備し、前記送信制御手段は、前記事象発生検出手段による事象発生検出を受けて、前記事象発生検出手段による事象発生検出情報と共に該当カメラにより得られた静止画映像をセンタへ送信することを特徴とする。
【０００７】
本発明に係るカメラ監視カメラシステムでは、複数台のカメラは撮像対象が移動する方向に沿って一列に配置され、前記映像要求手段は、前記事象発生検出手段による事象発生検出を受けて、当該カメラの前と後のカメラからの映像の送信要求を順次送出した後に、該当カメラからの映像の送信要求を送出することを特徴とする。
【０００８】
本発明に係るカメラ監視カメラシステムでは、前記映像要求手段は、送信要求に動画または静止画のいずれであるかを示す情報、撮影時刻を含む情報を含めて送信要求を送信することを特徴とする。
【０００９】
本発明に係るカメラ監視カメラシステムでは、送信制御手段は、前記映像要求手段による要求を受けると、該当カメラにより得られた動画または静止画のいずれかの映像であって、要求のときから予め設定された時間幅前の映像をセンタへ送信することを特徴としている。
【００１０】
本発明に係るカメラ監視カメラシステムは、映像要求手段は、事象発生検出された事象発生の種類に応じて、要求を行うカメラの識別情報が記憶されたメモリテーブルを備え、このメモリテーブルの情報に基づき要求を行うことを特徴とする。
【発明の効果】
【００１１】
本発明によれば、事象発生検出を受けて、定められた複数のカメラからの映像の送信を要求し、これを受けると、該当カメラにより得られた映像をセンタへ送信し、事象発生検出を受けた場合に、前記事象発生検出手段による事象発生検出情報と共に該当カメラにより得られた静止画映像をセンタへ送信するので、定められた複数のカメラから無駄なく映像を収集できるばかりでなく、該当カメラにより得られた静止画映像が送られ、伝送路の容量が少ない場合にあっても事象発生を素早く表示することができる。
【発明を実施するための最良の形態】
【００１２】
事象発生に対応して必要な複数台のカメラから得られる映像を適切に表示させるという目的を、定められた複数のカメラからの映像の送信要求と、前記事象発生検出手段による事象発生検出情報と共に該当カメラにより得られた静止画映像をセンタへ送信する構成により実現している。以下添付図面を参照して各実施例について図面を参照して説明する。各図において、同一の構成要素には同一の符号を付して重複する説明を省略する。
【実施例１】
【００１３】
図１には、監視カメラシステムの第１の実施例が示されている。監視カメラシステムは、ｎ箇所の監視部２−１〜２−ｎとセンタ１とがＬＡＮなどのネットワーク３を介して接続されるシステムである。センタ１の構成を図２に示す。センタ１には、ネットワーク３に接続されるＬＡＮスイッチ等の伝送部１１の他に、映像復号化部１２、モニタ１３、カメラ選択処理部１４、情報入力部１５が備えられている。
【００１４】
映像復号化部１２は、ネットワーク３を介して到来する映像のディジタルデータをモニタ１３に表示可能な映像信号に変換して出力するものである。モニタ１３は、映像復号化部１２により復号化された映像信号に基づく映像を表示するＣＲＴ等の表示装置である。映像復号化部１２とモニタ１３とは複数セット設けられている。カメラ選択処理部１４は、複数のカメラの中から映像を取得するカメラを選択する要求情報を送出するものである。カメラ選択処理部１４は、パーソナルコンピュータにより構成され、情報入力部１５は、キーボードや気象情報処理装置などにより構成されるが、ここでは、キーボードを例とする。キーボードからは映像を取得するカメラを選択するためのカメラ番号や静止画と動画のいずれかを指示する情報、どの時刻のデータを要求するのかを示す時刻情報などが入力される。このとき、パーソナルコンピュータの表示部には、入力内容が表示され、入力を確認して指示を与えることができる。気象情報処理装置では、降雪や降雨センサ或いは気象庁などから提供される気象データを用いて、降雪状態であるか、降雨状態であるか、気象情報に基づき監視地域（緯度経度）が台風の暴風域（台風の目緯度経度と半径の範囲）に入ったかなどを判定して判定結果情報をカメラ選択処理部１４へ送出する。
【００１５】
監視部２−１〜２−ｎは、図３に示されるように構成される。監視部２−１〜２−ｎは、ネットワーク３に接続されるＬＡＮスイッチ等の伝送部２１の他に、カメラ２２、映像分配部２３、映像符号化部２４、画像処理部２５、映像蓄積部２６、静止画出力部２７、映像出力部２８、制御部２０を備えている。
【００１６】
カメラ２２は、監視対象を撮像した映像信号を得るもので、映像信号は映像分配部２３に送られる。映像分配部２３は、カメラ２２から送られた映像信号を画像処理部２５と映像符号化部２４とに分配するものである。映像符号化部２４は、到来する映像信号を例えばＭＰＥＧ２などの形式にディジタル化して映像蓄積部２６に蓄積するものである。画像処理部２５は、到来する映像信号をディジタル化して画像処理を行うコンピュータであって、例えばディジタル化した画像情報を２値化してパターンマッチングなどにより画像認識を行い、所定の事象発生を検出して、センタ１と制御部２０へ事象発生検出情報を通知する。所定の事象発生は、例えば道路監視においては、停止車両発生などである。映像蓄積部２６は、ディジタル化された映像データを蓄積する記憶媒体である。静止画出力部２７は、映像蓄積部２６に蓄積されている映像データを静止画として１画面分取り出し出力するものである。映像出力部２８は、映像蓄積部２６に蓄積されている映像データを動画となるよう連続して取り出し出力するものである。制御部２０は、画像処理部２５から所定の事象発生の検出を受けて静止画出力部２７を制御して静止画を出力させ、伝送部２１を介してセンタ１からカメラを選択する要求情報を受けたときに静止画出力部２７或いは映像出力部２８を制御して静止画或いは動画を出力させるものである。
【００１７】
本実施例において、監視部２−１〜２−ｎのカメラ２２−１〜２２−ｎは、図４に示すように道路Ｒの一車線を監視するために、撮像対象である車両が移動する方向に沿って一列に配置されている。そして、カメラ選択処理部１４には、情報入力部１５からの設定によって、事象発生検出を受けた場合には、当該カメラの前と後のカメラからの静止画の送信要求を順次送出した後に、該当カメラからの映像の送信要求を送出する設定がなされており、また、時間幅が前後５分と設定されている。
【００１８】
以上のように構成された監視カメラシステムの動作を図５、図６に示すフローチャートを参照して説明する。ここでは、図示せぬ監視部２−ｉにおいて所定事象発生が検出されるものとして説明を行う。各監視部２−１〜２−ｎにおいて、常時順次に取得される映像データが時刻情報に対応付けられて映像蓄積部２６に蓄積されている。そして画像処理部２５は、所定事象発生（停止車両検出等）であるか映像要求の到来を検出している（Ｓ１）。所定事象発生があると、事象発生情報を制御部２０と伝送部２１へ送出する（Ｓ２）。制御部２０は、静止画出力部２７へ指示を与えて、その時に映像蓄積部２６へ映像符号化部２４から送られている１画面分の静止画の映像データを時刻情報と共に取り出させ、伝送部２１へ送出させる（Ｓ３）。
【００１９】
伝送部２１では、画像処理部２５から到来した事象発生情報と静止画出力部２７から到来した静止画の映像データ及び時刻情報とについてカメラ番号を付加しパケット化し、宛先としてセンタ１のアドレスをセットし、発アドレスを当該監視部２−ｉのアドレスとして送信する（Ｓ４）。
【００２０】
上記に対し、センタ１では、伝送部１１がデータの到来を待っており（Ｓ１１）、データが到来すると、事象発生情報が付加されているかを検出し（Ｓ１２）、事象発生情報が付加されている場合には、カメラ番号、事象発生情報、時刻情報を分離し、カメラ選択処理部１４へ送り、映像データ及び時刻情報とカメラ番号を予め定められた映像復号化部（例えば、一定の順で映像データが到来する毎に、切換を行って）１２へ送る（Ｓ１３）。映像復号化部はディジタル映像データをモニタ１３に表示可能に復号化すると共に、カメラ番号と時刻を映像に含めた映像信号としてモニタ１３へ送り、映像を表示する（Ｓ１４）。
【００２１】
カメラ選択処理部１４では、カメラ番号ｉ、事象発生情報、時刻情報を受けて、カメラ番号ｉの前後のカメラ番号（ｉ−１）と（ｉ＋１）を得て、カメラ番号（ｉ−１）と（ｉ＋１）に対応する宛先アドレスを予め備えているテーブルから求め、それぞれ映像（静止画）要求のパケットの宛先アドレスにセットし、発生時刻情報を含めて順次送信する（Ｓ１５）。
【００２２】
更に、当該カメラ番号ｉの監視部へ動画を要求する情報を、カメラ選択処理部１４を構成するパーソナルコンピュータの表示部に表示する（Ｓ１６）。例えば、「事象発生時の前後５分の動画を要求」のように表示し、訂正（場合によっては停止）とＯＫの操作を受ける（Ｓ１７）。訂正では、映像の時間幅、映像を静止画とするか動画とするかなどを変更可能であり、訂正された結果はステップＳ１６において表示される。ＯＫがステップＳ１７において確認されると、当該映像要求の情報が送られる（Ｓ１８）。発アドレスは、例えば、上記テーブルから得るか、到来したパケットの発アドレスを宛先アドレスとしてセットすることにより設定可能である。
【００２３】
上記により静止画の映像要求が送られたカメラ番号（ｉ−１）、（ｉ＋１）の監視部においては、制御部２０が映像要求の到来をステップＳ１において検出しステップＳ５へ進む。ステップＳ５においては、要求された映像の種類を検出し、静止画であるから静止画出力部２７へ映像要求から取り出した時刻を送り当該時刻の静止画を映像蓄積部２６に蓄積された映像データから読み出して送らせる（Ｓ６）。これにより、当初において事象発生が検出されたカメラと一列に並ぶカメラであって、前後のカメラによる静止画がセンタ１へ送られることになる。この場合にも、時刻情報とカメラ番号は付加されて送信されるものである。
【００２４】
また、動画の映像要求が送られたカメラ番号ｉの監視部においては、制御部２０が映像要求の到来をステップＳ１において検出しステップＳ５へ進む。ステップＳ５においては、要求された映像の種類を検出し、動画であるから映像出力部２８へ映像要求から取り出した時刻と時間幅（前後５分）を送り当該時刻の動画の映像データを映像蓄積部２６に蓄積された映像データから読み出して送らせる（Ｓ７）。これにより、当初において事象発生が検出されたカメラによって撮像されていた事象発生前後に係る動画がセンタ１へ送られることになる。この場合にも、時刻情報とカメラ番号は付加されて送信されるものである。
【００２５】
上記に対し、センタ１では、伝送部１１がデータの到来を待っており（Ｓ１１）、データが到来すると、事象発生情報が付加されているかを検出し（Ｓ１２）、事象発生情報が付加されていない場合には、映像データ及び時刻情報とカメラ番号を予め定められた映像復号化部（例えば、一定の順で映像データが到来する毎に、切換を行って）１２へ送る（Ｓ１９）。映像復号化部はディジタル映像データをモニタ１３に表示可能に復号化すると共に、カメラ番号と時刻を映像に含めた映像信号としてモニタ１３へ送り、映像を表示する（Ｓ２０）。
【００２６】
以上の処理の結果、図４に示されるように、例えば、カメラｉの時刻１２：００：００に事象発生が検出された場合には、カメラｉの時刻１２：００：００における静止画映像と、カメラｉに前後して配置されているカメラ（ｉ−１）とカメラ（ｉ＋１）の時刻１２：００：００における静止画映像と、カメラｉの時刻１２：００：００の前後５分（時刻１１：５５：００から時刻１２：０５：００における動画映像とを得て表示がなされ、通常では必要十分と思える監視映像を自動的に得ることが可能である。
【００２７】
しかも、例えば、長い渋滞発生により次々に各カメラを有する監視部から事象発生検出情報が静止画と共に送られてくるが、ステップＳ１７において、動画等の映像要求の送信を停止でき、動画の送信が重なり、伝送路の伝送容量を超えるような事態を防ぐことが可能である。
【実施例２】
【００２８】
次に第２の実施例に係る監視カメラシステムを説明する。この実施例では、各監視部２−１〜２−ｎにおける制御部２０がタイマを有し、ある時間毎（例えば、５分毎）に静止画をセンタ１へ送信する。各監視部２−１〜２−ｎからの送信タイミングは、例えば百分の一秒づつ異なっている。この第２の実施例に係る監視カメラシステムの動作を図７に示すフローチャートを参照して説明する。制御部２０はタイマに基づき送信時刻の到来を待っていると共に、映像の送信要求到来を監視している（Ｓ８）。送信時刻が到来すると、画像処理部２５からの出力に基づき、所定事象が発生したかを検出し（Ｓ１）、事象が発生しているときには図５において説明したステップＳ２からステップＳ４の処理へと進み事象発生情報と静止画をセンタ１へ送る。
【００２９】
上記ステップＳ１において、所定事象が発生していないことを検出した場合には、制御部２０は、静止画出力部２７へ指示を与えて、その時に映像蓄積部２６へ映像符号化部２４から送られている１画面分の静止画の映像データを時刻情報と共に取り出させ、伝送部２１へ送出させ、伝送部２１により送信させる（Ｓ９）。伝送部２１は、静止画出力部２７から到来した静止画の映像データ及び時刻情報とについてカメラ番号を付加しパケット化し、宛先としてセンタ１のアドレスをセットし、発アドレスを当該監視部２−ｉのアドレスとして送信する。
【００３０】
図７のフローチャートにおける上記以外の処理は、図５に示したフローチャートにおける処理と同様であるので、その説明を省略する。上記の処理により、カメラ番号（ｉ−２）〜（ｉ＋２）のカメラ２２−（ｉ−２）〜２２−（ｉ＋２）について静止画が送れたときの静止画等の例を図９に示す。１１：５９：５８から百分の一秒間隔で静止画が送られ、カメラ番号ｉのカメラ２２−ｉを有する監視部２−ｉから送られたパケットには、静止画の映像データと共に事象発生情報が付加されていたことを示す。
【００３１】
上記監視部の動作に対し、センタ１では、図６と基本的に同じ図８のフローチャートにより説明した動作が行われ、カメラ番号ｉのカメラ２２−ｉを有する監視部２−ｉに対し、当該映像要求の情報が送られる（Ｓ１８）。これにより図９に示されている通り、カメラｉの時刻１２：００：００の前後５分（時刻１１：５５：００から時刻１２：０５：００における動画映像とを得て表示がなされ、通常では必要十分と思える監視映像を自動的に得ることが可能である。図６と図８との相違は、図８においてはステップＳ１５が行われないことである。
【００３２】
上記の処理により、自動的に全ての監視部から所定時間毎に静止画が送られてくる。また、そのとき、事象発生検出された監視部からは事象発生情報が送られてくることから、動画の映像要求が当該監視部へ送られることになり、必要な監視部のカメラから得られた動画像による監視を適切に行うことができる。なお、図６のフローチャートと同じく、図７のフローチャートにおけるステップＳ１６とステップＳ１７によって、訂正を行うことができ、必要な監視部へ映像要求の情報を送ること或いは映像要求の送信を停止することも可能であり、必要な監視が可能である。
【実施例３】
【００３３】
次に、第３の実施例に係る監視カメラシステムを説明する。この第３の実施例に係る監視カメラシステムでは、情報入力部１５は、キーボードと気象情報処理装置により構成される。気象情報処理装置では、降雪や降雨センサ或いは気象庁などから提供される気象データを用いて、降雪状態であるか、降雨状態であるか、気象情報に基づき監視地域（緯度経度）が台風の暴風域（台風の目緯度経度と半径の範囲）に入ったかなどを判定して判定結果情報をカメラ選択処理部１４へ送出する。
【００３４】
カメラ選択処理部１４は、図１０に示すようなメモリテーブルを備え、このメモリテーブルの情報に基づき映像要求を行う。メモリテーブルには、事象発生が検出された事象発生の種類に応じて、要求を行うカメラの識別情報が記憶されているもので、ここでは、事象として降雪と台風を例としている。各カメラに対応して、宛先アドレスと、その事象が発生したときの映像要求の対象となるかの情報（丸とバツで示す）、優先度、表示間隔（何秒間の映像を得るか）が設定されている。
【００３５】
そして、カメラ選択処理部１４は、第１の実施例或いは第２の実施例の処理に加えて、図１１に示すフローチャートによる動作を行うので、動作を説明する。カメラ選択処理部１４は、事象発生を検出しており（Ｓ２１）、降雪検出または台風到来が気象情報処理装置から得られると、事象が何であるかを検出する（Ｓ２２）。発生した事象が台風である場合には、対象となるカメラを検索するポインタ値Ｋを０とし（Ｓ２３）、次にポインタ値Ｋに１を加えて（Ｓ２４）、その値が最大Ｍを越えているかを検出する（Ｓ２５）。
【００３６】
ステップＳ２５においてポインタ値Ｋが最大値Ｍを越えていなければ、テーブルから台風時の優先度第Ｋ候補のカメラを得て、対応して登録されているアドレスと、時間間隔を取り出し、映像要求を作成した情報についてカメラ選択処理部１４を構成するパーソナルコンピュータの表示部に表示する（Ｓ２６）。例えば、「カメラ番号Ｎの監視部に対し、１０秒の動画を要求」のように表示し、修正（場合によっては停止）と確認の操作を受ける（Ｓ２７）。修正では、映像の時間幅、映像を静止画とするか動画とするかなどを変更可能であり、修正された結果はステップＳ２６において表示される。確認がステップＳ２７において検出されると、当該映像要求の情報が送られる（Ｓ２８）。発アドレスは、上記テーブルから得て、セットする。送信の後にはステップＳ２４へ戻ってポインタ値Ｋに１を加えて（Ｓ２４）、ステップＳ２５以降において前述と同様の処理を繰り返す。これに対して、各監視部２−１〜２−ｎでは、図５に示すフローチャートの処理或いは、図７に示すフローチャートの処理により動作して、要求された映像（時刻指定なき場合には、リアルタイムの映像）を送信する。各監視部２−１〜２−ｎから送られてきた映像の処理は、図６に示すフローチャートの処理或いは、図８に示すフローチャートの処理にて対応する。
【００３７】
ステップＳ２２における事象が何であるかを検出する処理において、発生した事象が降雪である場合には、対象となるカメラを検索するポインタ値Ｋを０とし（Ｓ３１）、次にポインタ値Ｋに１を加えて（Ｓ３２）、その値が最大Ｍを越えているかを検出する（Ｓ３３）。
【００３８】
ステップＳ３３においてポインタ値Ｋが最大値Ｍを越えていなければ、テーブルから降雪時の優先度第Ｋ候補のカメラを得て、対応して登録されているアドレスと、時間間隔を取り出し、映像要求を作成した情報についてカメラ選択処理部１４を構成するパーソナルコンピュータの表示部に表示する（Ｓ３４）。例えば、「カメラ番号Ｎの監視部に対し、１０秒の動画を要求」のように表示し、修正（場合によっては停止）と確認の操作を受ける（Ｓ３５）。修正では、映像の時間幅、映像を静止画とするか動画とするかなどを変更可能であり、修正された結果はステップＳ３４において表示される。確認がステップＳ３５において検出されると、当該映像要求の情報が送られる（Ｓ３６）。発アドレスは、上記テーブルから得て、セットする。送信の後にはステップＳ３２へ戻ってポインタ値Ｋに１を加えて（Ｓ３２）、ステップＳ３３以降において前述と同様の処理を繰り返す。これに対して、各監視部２−１〜２−ｎでは、図５に示すフローチャートの処理或いは、図７に示すフローチャートの処理により動作して、要求された映像（時刻指定なき場合には、リアルタイムの映像）を送信する。各監視部２−１〜２−ｎから送られてきた映像の処理は、図６に示すフローチャートの処理或いは、図８に示すフローチャートの処理にて対応することになる。
【００３９】
斯して本実施例によれば、発生した事象毎に必要なカメラから所望する順番で、必要な時間幅を持った映像を収集して監視を行うことができ、また、映像要求の際にオペレータが介入して映像要求の内容を修正し或いは映像要求の送信を中止させることができ、極めて好都合な監視を行うことができる。
【産業上の利用可能性】
【００４０】
監視対象は道路における車両の監視に限られるものではなく、侵入の監視や災害対策用の監視にも適用され得る。
【図面の簡単な説明】
【００４１】
【図１】本発明に係る監視カメラシステムの全体構成を示す図。
【図２】本発明に係る監視カメラシステムのセンタにおける構成を示す図。
【図３】本発明に係る監視カメラシステムの監視部における構成を示す図。
【図４】本発明に係る監視カメラシステムの第１の実施例による映像取得を説明する図。
【図５】本発明に係る監視カメラシステムの第１の実施例による監視部における動作を説明するためのフローチャート。
【図６】本発明に係る監視カメラシステムの第１の実施例によるセンタにおける動作を説明するためのフローチャート。
【図７】本発明に係る監視カメラシステムの第２の実施例による監視部における動作を説明するためのフローチャート。
【図８】本発明に係る監視カメラシステムの第２の実施例によるセンタにおける動作を説明するためのフローチャート。
【図９】本発明に係る監視カメラシステムの第１の実施例による映像取得を説明する図。
【図１０】本発明に係る監視カメラシステムの第２の実施例による監視部に備えられるメモリテーブルの内容例を示す図。
【図１１】本発明に係る監視カメラシステムの第３の実施例によるセンタにおける動作を説明するためのフローチャート。
【符号の説明】
【００４２】
１  センタ 
２−１〜２−ｎ  監視部 
３  ネットワーク 
１１、２１  伝送部 
１２  映像復号化部 
１３  モニタ 
１４  カメラ選択処理部 
１５  情報入力部 
２２  カメラ 
２３  映像分配部 
２４  映像符号化部 
２５  画像処理部 
２６  映像蓄積部 
２７  静止画出力部 
２８  映像出力部 
２０  制御部
【図１】
2005277660.tif 000003
【図２】
2005277660.tif 000004
【図３】
2005277660.tif 000005
【図４】
2005277660.tif 000006
【図５】
2005277660.tif 000007
【図６】
2005277660.tif 000008
【図７】
2005277660.tif 000009
【図８】
2005277660.tif 000010
【図９】
2005277660.tif 000011
【図１０】
2005277660.tif 000012
【図１１】
2005277660.tif 000013